(57)【要約】  配管システム（Ａ）で使用するための弁アセンブリ（１０）は、配管システム（Ａ）への接続のために配置される入口（１５）および出口（１７）を有する弁（１２）を含み、弁体（１４）、流路内に置かれる制御要素、および制御要素に動作可能なように結合される変更可能な弁軸（１６）をさらに含む。バルブパッキン（５６）は、弁軸（１６）の回りに置かれ、リテーナアセンブリ（５４）によって固定される。アダプタプレート（２６）が設けられ、複数のパッキン押えボルト（２８）によって弁体（１４）に取り付けられ、アダプタプレート（２６）およびパッキン押えボルト（２８）は協調して、リテーナアセンブリ（５４）を固定する。アクチュエータブラケット（３０）が設けられ、第１の部分（３６）および第２の部分（３６）を含み、第１の部分（３６）は複数の締め金具（２８）によってアダプタプレート（２６）に固定され、アクチュエータ（１８）は、複数の締め金具（２８）によってアクチュエータブラケット（３０）の第２の部分（３６）に固定され、アクチュエータ（１８）は弁軸（１６）に動作可能なように結合される制御棒（２０）を有する。【選択図】図１
2013524124.tif 000002
【特許請求の範囲】
【請求項１】
配管システムで使用するための弁アセンブリであって、
前記配管システムへの接続のために配置される入口および出口を有する弁であって、弁体、流路内に置かれる制御要素、および前記制御要素に動作可能なように結合される変更可能な弁軸をさらに含む弁と、
前記弁軸の回りに配置され、リテーナアセンブリによって固定されるバルブパッキンと、
複数のパッキン押えボルトによって前記弁体に取り付けられるアダプタプレートであって、前記アダプタプレートおよび前記パッキン押えボルトが協調して、前記リテーナアセンブリを固定し、
第１の部分および第２の部分を有するアクチュエータブラケットであって、複数の締め金具によって前記アダプタプレートに固定される第１の部分と、
複数の締め金具によって前記アクチュエータブラケットの前記第２の部分に固定されるアクチュエータであって、前記弁軸に動作可能なように結合される制御棒を有する前記アクチュエータと、
を備える弁アセンブリ。
【請求項２】
前記アダプタプレートが複数のアクチュエータブラケット取付け開口を含み、前記アクチュエータブラケット取付け開口が、前記アダプタプレート上に配置され、第１の位置または第２の位置のどちらかで、前記アクチュエータブラケットを前記アダプタプレートに取り付けることを可能にする、請求項１に記載の弁アセンブリ。
【請求項３】
前記アクチュエータブラケットの前記第１の部分が、前記パッキン押えボルトの内の少なくとも１つにアクセス開口部を提供するような大きさに作られた切欠きを含む、請求項１また２に記載の弁アセンブリ。
【請求項４】
配管システムで使用するための弁アセンブリであって、
前記配管システムへの接続のために配置される入口および出口を有する弁であって、弁体、流路内に置かれる制御要素、および前記制御要素に動作可能なように結合される変更可能な弁軸をさらに含む前記弁と、
前記弁軸の回りに配置され、リテーナアセンブリおよび複数のパッキン押えボルトによって固定されるバルブパッキンと、
少なくとも一部複数のアダプタ開口を含む前記リテーナアセンブリに概して隣接する前記弁体と、
第１の部分および第２の部分を有するアクチュエータブラケットであって、前記第１の部分が、複数の締め金具によって前記アダプタ開口に固定されるアクチュエータブラケットと、
複数の締め金具によって前記アクチュエータブラケットの前記第２の部分に固定されるアクチュエータであって、前記弁軸に動作可能なように結合される制御棒を有する前記アクチュエータと、
を備える弁アセンブリ。
【請求項５】
前記複数のアダプタ開口が、第１のパターンおよび第２のパターンで配列され、前記第１のパターンが、第１の位置で前記アクチュエータブラケットの前記第１のパターンを支えるように配置され、前記第２のパターンが、第２の位置で前記アクチュエータブラケットの前記第１の部分を支えるように配置される、請求項４に記載の弁アセンブリ。
【請求項６】
前記アクチュエータブラケットの前記第１の部分が、前記パッキン押えボルトの内の少なくとも１つにアクセス開口部を提供するような大きさに作られた切欠きを含む、請求項４または５に記載の弁アセンブリ。
【請求項７】
弁およびアクチュエータアセンブリとともに使用するために適応アセンブリであって、弁、弁軸、アクチュエータ、アダプタプレートを含む前記アセンブリは、
前記弁の弁体に固定可能であり、前記アダプタプレートを通る前記弁軸の通過を可能にするような大きさで作られたアダプタプレートであって、前記弁体に取り付け可能な複数のパッキン押えボルトを受け入れるように配置される前記アダプタプレートと、
第１の部分および第２の部分を有するアクチュエータブラケットであって、前記第１の部分が複数の締付金具によって前記アダプタプレートに固定される、アクチュエータブラケットと、
複数の締め金具を使用してアクチュエータを受け入れるように配置され、前記アクチュエータの制御棒が前記弁軸に動作可能なように結合できるようにする、前記アクチュエータの前記第２の部分と、
を備える適応アセンブリ。
【請求項８】
前記アダプタプレートが、複数のアクチュエータブラケット取付け開口を含み、前記アクチュエータブラケット取付け開口が前記アダプタプレート上に配置され、第１の位置または第２の位置のどちらかで前記アダプタプレートに前記アクチュエータブラケットを取り付けることを可能にする、請求項７に記載の適応アセンブリ。
【請求項９】
前記アクチュエータブラケットの前記第一部分が、前記パッキン押えボルトの内の少なくとも１つにアクセス開口を提供するような大きさに作られた切欠きを含む、請求項７または８に記載の適応アセンブリ。
【請求項１０】
配管システム内の弁アセンブリを修理点検する方法であって
前記配管システムと流動連通する入口および出口を有する弁を提供することであって、前記弁が、弁体、流路内に置かれる制御要素、および前記制御要素に動作可能なように結合される変更可能な弁軸とをさらに含み、前記バルブパッキンが前記弁軸の回りに置かれ、リテーナアセンブリおよび複数のパッキン押えボルトによって固定されることを、提供することと、
前記リテーナアセンブリに概して隣接する前記弁本体の少なくとも一部に、複数のアダプタ開口を提供することと、
第１の部分および第２の部分を有するアクチュエータブラケットを提供し、複数の締め金具によって前記アダプタ開口に固定される第１の部分を固定することと、
複数の締め金具によって前記アクチュエータブラケットの前記第２の部分に固定されるアクチュエータを提供することであって、前記アクチュエータが前記弁軸に動作可能なように結合される制御棒を有する事を、提供することと、
前記配管システム内にプロセス流体を維持しながら、前記アクチュエータブラケットの前記第１の部分を前記アダプタに固定する前記複数の締め金具を取り外すことを含む、前記アクチュエータを取り外すことと、
を含む方法。
【請求項１１】
前記複数のアダプタ開口を第１のパターンおよび第２のパターンで配置することであって、前記第１のパターンが第１の位置で前記アクチュエータブラケットの前記第１の部分を支えるように配置され、前記第２のパターンが第２の位置で前記アクチュエータブラケットの前記第１の部分を支えるように配置されることと、最初に前記弁体に前記アクチュエータブラケットを取り付けるときに、前記第１のパターンまたは前記第２のパターンを選択することとの、請求項１０に記載の方法。
【請求項１２】
前記アクチュエータブラケットの前記第１の部分に、前記パッキン押えボルトの内の少なくとも１つにアクセス開口部を提供するような大きさに作られた切欠きを提供することを含む、請求項１０または１１に記載の方法。
【発明の詳細な説明】
【技術分野】
【０００１】
本発明は、概して弁体およびアクチュエータブラケットによってその弁体に結合されるアクチュエータを有する弁に関する。
【背景技術】
【０００２】
プロセス制御弁、ねじ付き内部弁、または調節器等の多くの弁は、アクチュエータが所望の位置で弁の内部に制御要素を位置決めすることを必要とし、同様に、制御要素が弁を通るプロセス流体の流れを制御できるようにする。多くの用途では、アクチュエータは、直接的に弁体に取り付けられるか、またはアクチュエータブラケットを使用して弁アセンブリの任意の他の適切な部分に取り付けられる。既知のように、かかる弁は、通常、ねじ込みカップリングを使用して配管システム内に位置決めされる。
【発明の概要】
【発明が解決しようとする課題】
【０００３】
かかる弁は、用途に応じて軸に沿って摺動するか、軸を基準にして回転するかのどちらかである可動弁軸を含む。弁軸は、通常はパッキンリテーナプレートによって適所に保持されるバルブパッキンによって囲まれている。パッキンリテーナプレートは、同様に複数のパッキン押えボルトによって弁体または弁アセンブリの他の適切な部分に固定される。
【０００４】
アクチュエータブラケットは、アクチュエータの弁への取付けを容易にする。通常、アクチュエータブラケットは、パッキンリテーナプレートを固定するのと同じパッキン押さえボルトを使用して弁または弁アセンブリに取り付けられる。新しい弁を既存のシステムの中に差し込む場合、弁アセンブリからアクチュエータを取り除かなければならない。しかしながら、アクチュエータを取り除き、新しい弁にアクチュエータを設置し直すプロセスは、現場保守要員がパッキン押えボルトを緩めることを必要とする。このステップは、配管システムの減圧排気を必要とし、例えばプロパンまたはアンモニア等のプロセス流体を大気に排出することを必ず必要とするだろう。また、このステップは、弁軸を囲むバルブパッキンとも干渉することがある。
【課題を解決するための手段】
【０００５】
本発明の態様に従って、配管システム内で使用するための弁アセンブリは、配管システムへの接続のために配置された入口および出口を有する弁を含み、さらに弁体、流路内に置かれる制御要素、およびその制御要素に動作可能なように結合される変更可能な弁軸を含む。バルブパッキンは弁軸の回りに置かれ、リテーナアセンブリによって固定される。アダプタプレートが設けられ、複数のパッキン押えボルトによって弁体に取り付けられ、アダプタプレートおよびパッキン押えボルトは協調してリテーナアセンブリを固定する。そしてアクチュエータブラケットが提供され、第１の部分および第２の部分を含み、その第１の部分は複数の締め金具によってアダプタプレートに固定され、アクチュエータは複数の締め金具によってアクチュエータブラケットの第２の部分に固定され、アクチュエータは弁軸に動作可能なように結合される制御棒を有する。
【０００６】
１つまたは複数の好ましい形式に従って、アダプタプレートは複数のアクチュエータブラケット取付け開口を含み、アクチュエータブラケット取付け開口はアダプタプレート上に配置され、第１の位置または第２の位置のどちらかでアダプタプレートに、アクチュエータブラケットを取り付けることを可能にする。アクチュエータブラケットの第１の部分は、パッキン押えボルトの内の少なくとも１つにアクセス開口部を提供する大きさに作られた切欠きを含んでよい。
【０００７】
別の例示的な態様に従って、配管システム内で使用するための弁アセンブリは、配管システムへの接続のために配置された入口および出口を有する弁を含み、弁は、弁体、流路内に置かれる制御要素、および制御要素に動作可能なように結合される変更可能な弁軸をさらに含む。バルブパッキンは、弁軸の回りに置かれ、リテーナアセンブリおよび複数のパッキン押えボルトによって固定され、リテーナアセンブリに概して隣接する弁体の少なくとも一部が複数のアダプタ開口を含む。そして、アクチュエータブラケットは、第１の部分および第２の部分を含み、第１の部分は複数の締め金具によってアダプタ開口に固定される。アクチュエータは、複数の締め金具によってアクチュエータブラケットの第２の部分に固定され、アクチュエータの制御棒は弁軸に動作可能なように結合される。
【０００８】
追加の例示的な態様に従って、複数のアダプタ開口が第１のパターンおよび第２のパターンで配置されてよく、第１のパターンは第１の位置でアクチュエータブラケットの第１の部分を支えるように配置され、第２のパターンは第２の位置でアクチュエータブラケットの第１の部分を支えるように配置される。アクチュエータブラケットの第１の部分は、パッキン押えボルトの内の少なくとも１つにアクセス開口部または空き空間を提供するような大きさに作られた切欠きを含み、したがってアクチュエータブラケットとパッキン押えボルトの間に干渉はない。
【図面の簡単な説明】
【０００９】
【図１】配管システム内で使用するために適した、本発明の第１の開示例の教示に従って組み立てられたアクチュエータブラケットおよびアダプタプレートを使用して弁に取り付けられるアクチュエータを有する内部弁の立面図である。
【図２ａ】本発明の教示に従って組み立てられたアダプタプレートの拡大立面図である。
【図２ｂ】図２ａのアダプタプレートの拡大側面図であり、弁軸、関連するバルブパッキン、およびリテーナプレートを断片的な断面図形式で示す図でもある。
【図２ｃ】図２ａおよび図２ｂの例示的なアダプタプレートの斜視図である。
【図３ａ】本発明の教示に従って組み立てられ、図２ａから図２ｃのアダプタプレートとともに使用するためのアクチュエータブラケットの拡大立面図である。
【図３ｂ】図３ａのアクチュエータブラケットの拡大上面図である。
【図３ｃ】図３ａおよび図３ｂの例示的なアクチュエータブラケットの拡大側面図である。
【図３ｄ】図３ａから図３ｃの例示的なアクチュエータブラケットの拡大斜視図である。
【図４】アクチュエータおよびアクチュエータブラケットが第１の向きで弁体／アダプタプレートに取り付けられた状態の図１の弁アセンブリを示す図である。
【図５】アクチュエータおよびアクチュエータブラケットが、第１の向きとは異なる第２の向きで同じ弁体／アダプタプレートに取り付けられた状態の図１の弁アセンブリを示す図である。
【発明を実施するための形態】
【００１０】
ここで図面を参照すると、図１は、プロセス流体を運ぶために配管システムＡ内で使用するための、図面を見るときに通常は左側におよび右側に伸長する部分ＢおよびＣ（部分Ｂおよび部分Ｃは切り詰められている）を有する弁アセンブリ１０を示す。弁アセンブリ１０は、弁体１４および弁軸１６を有する弁１２を含む。（弁軸は図の平面の中に伸長し、したがって図１の中では弁軸１６の軸端部だけが可視である。）弁体１４は、部分Ｂに接続する入口１５および部分Ｃに接続する出口１７を含む。別法として、入口および出口は、示されている側とは異なる側にあってよい。弁軸１６は、弁１２の内部に置かれる制御要素に接続される、またはそうでなければ適切に動作可能なように制御要素に結合される。当業者にとって既知となるように、制御要素は、配管システムを通してプロセス流体の流れを制御し、制御要素の位置は弁軸１６の位置によって決定される。また、弁アセンブリは、制御棒２０を有するアクチュエータ１８も含むことがある。制御棒２０は、同様に弁軸１６に接続されるレバーアーム２４または他の適切なコネクタに制御棒２０を動作可能なように結合できるようにするクレビス及びピンアセンブリー２２を含むことがある。
【００１１】
本発明の開示例の教示に従って組み立てられたアダプタプレート２６が示されており、複数のパッキン押えボルト２８を使用して弁体１４に取り付けられている。好ましくは、パッキン押えボルト２８はリテーナプレートを押下するために使用される同じボルトである（図１の中で、リテーナプレートは、アダプタプレートによって見えない）。リテーナプレートは、同様に、弁軸１６を覆うバルブパッキン（不図示）を固定する。弁アセンブリ１０は、アクチュエータブラケット３０も含む。（実際には、２つのアクチュエータブラケットが図１に示され、アクチュエータブラケットは図の右に向かって示され、アクチュエータブラケット３０が複数の位置または向きでアダプタプレート２６に取り付けられてよいことを示している。図示されている例では、アクチュエータブラケット３０が、複数のファスナ３４によってアダプタプレート２６に固定される第１の位置３２を含む。アダプタプレート２６は、第２の部分３６も含み、アクチュエータ１８は複数のファスナ３８によって第２の部分３６に固定される。
【００１２】
ここで図２ａから図２ｃを参照すると、アダプタプレート２６は、前記に概略された弁軸１６の回りに適合するような大きさで作られた中央開口４０を含む。アダプタプレート２６は、弁体１４へのアダプタプレート２６の取付けを可能にするために、パッキン押えボルト２８を受け入れるような大きさに作られた複数の取付け開口４２を含む。アダプタプレート２６は、隣接する品目（不図示）との隙間を提供するような大きさおよび形状に作られてよい１つまたは複数の整形された端縁４６を含んでよい外縁４４を含む。また、アダプタプレートは、複数の取付け開口４８も含む。取付け開口４８のそれぞれは、間にある開口４２に架かり、したがって取付け開口４８は第１のパターン５０および第２のパターン５２を形成する。追加の開口が、依然として追加のパターンを形成するために設けられてよい。第１のパターン５０および第２のパターン５２は、アダプタプレート２６上に配置され、さまざまな位置でアクチュエータブラケット３０をアダプタプレート２６に取り付けることを可能にする。例えば、図４に示されるように、第１のパターン５０を選ぶまたは選択するときに、ブラケット／アクチュエータは図４の第１の位置に取り付けることができる。一方、第２のパターン５２を選ぶまたは選択するとき、ブラケット／アクチュエータは図５の第２の位置に取り付けることができる。
【００１３】
ここで図２ｂを参照すると、アダプタプレート２６は、リテーナプレート５４上に配置され、パッキン押えボルト２８によって固定されて示される。バルブパッキン５６は示され、弁軸１６の回りに既知の方法で位置決めされる。弁軸１６に結合される制御要素Ｅ、リテーナプレート５４、およびバルブパッキン５６は、図２ｂで概略でしか示されないことが分かる。
【００１４】
ここで図３ａから図３ｄを参照すると、アクチュエータブラケット３０がさらに詳しく示されている。アクチュエータブラケット３０の第１の位置３２は、概して１組の取付け開口６０の間に置かれる切欠き５８を含む。切欠き５８は、弁体１４にアダプタプレート２６を固定するパッキン押えボルト２８に接近するために、隙間空間またはアクセス開口部を提供するような大きさに作られる。開口６０は、締め金具３４を受け入れるような大きさに作られ、離間され、位置決めされ、図１、図４、および図５に示される選択された位置の内の任意の１つ内でのように、アダプタプレート２６内での取付け開口４８へのアクチュエータブラケット３０の取付けを可能にする。示されている例では、アクチュエータブラケット３０の第２の部分３６が、アクチュエータブラケット３０の中心部６４の平面を基準にしてほぼ９０°の角度で置かれるフランジ６２の形を取る。フランジ６２は、周囲の環境条件によって影響される任意の他の適切な角度で置かれてよい。
【００１５】
上述されたアダプタプレート２６は、他の弁および／または調節器だけではなく種々の内部弁にも容易に適用され得る。開示例に従って、アダプタプレート２６は、ユーザが、弁軸を囲むバルブパッキンを妨げることなく弁にアクチュエータを迅速にかつ容易に取り付けることができるようにする。アクチュエータを取り付ける、または切り離すためにアダプタプレートおよびその関連するパッキン押えボルトを取り除く必要がないため、例示的なアダプタプレート２６は、この結果を達成してよい。さらに、開示されたアダプタプレートは、ユーザが、同じアクチュエータブラケットを使用して複数の位置にアクチュエータを設置できるようにする。これは、少なくとも部分的には、アクチュエータブラケットがアクチュエータ自体と一体化しているまたはそうでなければアクチュエータ自体に結合されており、アクチュエータブラケットの取付け用のプラットホームを形成するアダプタプレートとは異なるという事実に起因する。
【００１６】
本開示例の発展の前に、ユーザは、内部弁上でアクチュエータを保持するために使用される同じボルトを用いて、パッキン押えリテーナプレートボルトを緩めることを要求された。開示例の教示に従って組み立てられたアダプタプレートは、ユーザが、内部弁ブランドパッキンを妨げることなく、アクチュエータを迅速に取り外すまたは取り付け直すことができるようにする。開示されたアクチュエータプレートを使用する場合、または使用しない場合、取り付けられたアクチュエータは、ねじ付き内部弁の設置中に取り外さなければならず、アクチュエータを設置するまたは取り外すプロセスによって、ユーザはグランドパッキンも緩めなくてはならず、それは、多くの場合配管システム内のプロセス流体（例えば、プロパンまたはアンモニア）を減圧排気することを必要とするので、現在、大きな不便となっている。本明細書に開示される例示的なアダプタは、バルブグランドパッキンを緩める必要のないアクチュエータの迅速な取り外しおよび取り付け直しを容易にし、したがってユーザはシステム配管を減圧排気する必要もなければ、バルブグランドパッキンを妨げる必要もないだろう。さらに、本明細書に概略される例示的な形式を使用して潜在的に達成可能なあらゆる優位点は、オペレータおよびユーザが、事前に組み立てられた弁−アクチュエータの組み合わせを設置するときに、より大きな価値および費用削減を経験できるようにする便利さおよび効率のレベルをもたらすことがある。
【００１７】
代替策として、上述されたアダプタプレートの１つの態様または複数の態様は、鋳造パッキン押えリテーナプレート内に統合できるだろう。かかる代替策によって、別個の構成部品を提供することなく上述の機能上の優位点の内の１つまたは複数を達成することが可能になるだろう。
【００１８】
本発明を実施するために発明者に既知の最良の態様を含む、本発明の好ましい実施形態が、本明細書に説明されている。本明細書には多数の例が示され、説明されているが、当業者は、多様な実施形態の詳細が相互に排他的である必要がないことを容易に理解するだろう。代わりに、当業者は、本明細書の教示を読むと、１つの実施形態の１つまたは複数の特長を、残りの実施形態の１つまたは複数の特長を結合することができるはずである。さらに、示されている実施形態が例示的に過ぎず、本発明の範囲を制限すると解釈されるべきではないことも理解されなければならない。本明細書に説明されるすべての方法は、本明細書中に別段に示されない限り、またはそれ以外の場合明確に文脈によって否定されない限り、任意の適切な順序で実行できる。本明細書に提供されるあらゆるおよび全ての例、または例示的な言葉（例えば「等」）の使用は、本発明の例示的な１つまたは複数の実施形態の態様を単によりよく明らかにすることを意図しており、本発明の範囲に制限を課さない。明細書中のどのような言葉も、本発明の実施に必須として請求されていないあらゆる要素を示すとして解釈されるべきではない。
【図１】
2013524124.tif 000003
【図２ａ】
2013524124.tif 000004
【図２ｂ】
2013524124.tif 000005
【図２ｃ】
2013524124.tif 000006
【図３ａ】
2013524124.tif 000007
【図３ｂ】
2013524124.tif 000008
【図３Ｃ】
2013524124.tif 000009
【図３ｄ】
2013524124.tif 000010
【図４】
2013524124.tif 000011
【図５】
2013524124.tif 000012
【国際調査報告】
2013524124.tif 000013
2013524124.tif 000014